(57)【特許請求の範囲】
【請求項１】
地面に電柱を立てるための電柱穴を掘削するための電柱穴掘削用管挿入工具であって、
回転軸の周囲に螺旋状に設けられた掘削刃を有する掘削用オーガと、
前記掘削用オーガの後端部に固定された固定部と、
前記電柱の地面に埋め込む部分を挿入可能な内径を有するサヤ管と、
前記サヤ管の後端縁に沿って配置された押え部材とを有し、
前記サヤ管は、前記掘削用オーガで前記電柱穴を掘削するとき、先端から前記掘削用オーガの先端が突出するよう、内部に前記掘削用オーガが挿入され、前記押え部材が前記掘削用オーガの前記固定部で押されて、前記掘削用オーガとともに先端側に向かって移動可能に構成されており、
前記押え部材は、板状であり、中心部に前記掘削用オーガの前記回転軸を挿入可能に設けられた貫通孔と、外縁から前記貫通孔まで伸びる切込とを有し、前記切込を拡げて前記貫通孔に前記回転軸を挿入し、前記サヤ管の後端の開口を塞ぐよう設けられ、
前記固定部は、前記掘削用オーガの先端側に前記回転軸の回転方向に沿って回転する複数のローラを有し、前記掘削用オーガで前記電柱穴を掘削するとき、前記掘削用オーガの回転により、各ローラが前記押え部材の後端側の表面を回転して移動するとともに、前記押え部材を押すよう構成されていることを
特徴とする電柱穴掘削用管挿入工具。
【請求項２】
前記押え部材は、先端側の表面に、前記サヤ管の後端の開口を塞いだとき、前記サヤ管の内周に沿って前記サヤ管の内部に向かって突出するよう設けられた複数の突出部を有していることを特徴とする請求項１記載の電柱穴掘削用管挿入工具。
【請求項３】
前記掘削用オーガは、前記サヤ管の先端側の内面に相対する前記掘削刃の外縁の複数箇所に、前記掘削刃の外縁よりも外側に突出した突起を有する振止部材を有していることを特徴とする請求項１または２記載の電柱穴掘削用管挿入工具。
【請求項４】
請求項１乃至３のいずれか１項に記載の電柱穴掘削用管挿入工具を使用して、地面に電柱を立てるための電柱穴を掘削するための管挿入工法であって、
前記サヤ管の先端から前記掘削用オーガの先端が突出するよう、前記サヤ管の内部に前記掘削用オーガを挿入した状態で、前記掘削用オーガで前記サヤ管の後端側を押しつつ、電柱穴の掘削と、その電柱穴への前記サヤ管の挿入とを行うことを特徴とする管挿入工法。
【発明の詳細な説明】
【技術分野】
【０００１】
本発明は、電柱穴掘削用管挿入工具および管挿入工法に関する。
【背景技術】
【０００２】
従来、電柱を立てるための電柱穴を地面に掘削したとき、掘削直後から電柱穴に電柱を立てるまでの間に、電柱穴の壁面が崩壊する危険性があった。そこで、掘削後の電柱穴の中に入れて膨張させることにより、電柱穴の崩壊を防止することができる、膨張、収縮自在な中空体から成る電柱穴崩壊防止具が開発されている（例えば、特許文献１参照）。
【先行技術文献】
【特許文献】
【０００３】
【特許文献１】実用新案登録第３０５４１０８号公報
【発明の概要】
【発明が解決しようとする課題】
【０００４】
しかしながら、特許文献１に記載の電柱穴崩壊防止具では、電柱穴の掘削後から電柱穴崩壊防止具を設置するまでの間、または、電柱穴崩壊防止具を取り外してから電柱を立てるまでの間、電柱穴の壁面が崩壊する危険性があるという課題があった。特に崩れやすい土質等の場合には、電柱穴の壁面を短時間でも開放すると壁面が崩れてしまうため、電柱穴の壁面崩壊を防ぐためには、一瞬でも壁面を開放しないことが要求される。また、壁面が崩壊した場合、掘削機による掘り直しが必要となる。
【０００５】
本発明は、このような崩れやすい土質の電柱穴の課題に着目してなされたもので、崩れた既存の電柱穴を再度掘削し新しい電柱を立てる場合に、掘削穴への土の侵入を防ぐことができる電柱穴掘削用管挿入工具および管挿入工法（電柱穴掘削装置および電柱穴掘削方法）を提供することを目的とする。
【課題を解決するための手段】
【０００６】
上記目的を達成するために、本発明に係る電柱穴掘削装置は、地面に電柱を立てるための電柱穴を掘削するための電柱穴掘削装置であって、回転軸の周囲に螺旋状に設けられた掘削刃を有する掘削用オーガと、前記掘削用オーガの後端部に固定された固定部と、前記電柱の地面に埋め込む部分を挿入可能な内径を有するサヤ管と、前記サヤ管の後端縁に沿って配置された押え部材とを有し、前記サヤ管は、前記掘削用オーガで前記電柱穴を掘削するとき、先端から前記掘削用オーガの先端が突出するよう、内部に前記掘削用オーガが挿入され、前記押え部材が前記掘削用オーガの前記固定部で押されて、前記掘削用オーガとともに先端側に向かって移動可能に構成されており、前記押え部材は、板状であり、中心部に前記掘削用オーガの前記回転軸を挿入可能に設けられた貫通孔と、外縁から前記貫通孔まで伸びる切込とを有し、前記切込を拡げて前記貫通孔に前記回転軸を挿入し、前記サヤ管の後端の開口を塞ぐよう設けられ、前記固定部は、前記掘削用オーガの先端側に前記回転軸の回転方向に沿って回転する複数のローラを有し、前記掘削用オーガで前記電柱穴を掘削するとき、前記掘削用オーガの回転により、各ローラが前記押え部材の後端側の表面を回転して移動するとともに、前記押え部材を押すよう構成されていることを特徴とする。
【０００７】
本発明に係る電柱穴掘削方法は、本発明に係る電柱穴掘削装置を使用して、地面に電柱を立てるための電柱穴を掘削するための電柱穴掘削方法であって、前記サヤ管の先端から前記掘削用オーガの先端が突出するよう、前記サヤ管の内部に前記掘削用オーガを挿入した状態で、前記掘削用オーガで前記サヤ管の後端側を押しつつ、電柱穴の掘削と、その電柱穴への前記サヤ管の挿入とを行うことを特徴とする。
【０００８】
本発明に係る電柱穴掘削装置および電柱穴掘削方法は、掘削用オーガによる電柱穴の掘削と、その電柱穴へのサヤ管の挿入とを同時に行うことができるため、崩れた土がサヤ管内部へ侵入することなく電柱穴を掘削することができる。また、掘削後、電柱穴にサヤ管を挿入したまま、サヤ管の内部に電柱を挿入して立てることができる。このように、本発明に係る電柱穴掘削装置および電柱穴掘削方法は、電柱穴の掘削後から電柱を立てるまでの間、サヤ管により周りの崩れた土を遮断することができ、電柱穴の掘り直しを不要にすることができる。
【０００９】
本発明に係る電柱穴掘削装置および電柱穴掘削方法で、掘削用オーガは、例えば、既存のアースオーガであってもよい。また、サヤ管は、掘削した電柱穴に容易に挿入できるよう、先端が尖っていることが好ましい。サヤ管は、いかなる材質から成っていてもよく、例えば、硬質の紙製であってもよい。
【００１０】
本発明に係る電柱穴掘削装置および電柱穴掘削方法では、掘削時に掘削用オーガが回転したとき、各ローラが押え部材の後端側の表面を回転することにより、押え部材およびサヤ管が回転しないようにすることができる。このため、サヤ管を紙等の安価な材料で構成しても、サヤ管が破損するのを防止することができ、経済的である。また、押え部材の切込を拡げて貫通孔に掘削用オーガの回転軸を出し入れすることができるため、押え部材を着脱しやすい。
【００１１】
また、前記押え部材は、先端側の表面に、前記サヤ管の後端の開口を塞いだとき、前記サヤ管の内周に沿って前記サヤ管の内部に向かって突出するよう設けられた複数の突出部を有していることが好ましい。この場合、複数の突出部により、電柱穴への挿入時や掘削時に、サヤ管が横方向に大きくずれるのを防ぐことができる。これにより、サヤ管が掘削用オーガの掘削刃に当たって破損したり、サヤ管を電柱穴に挿入しにくくなったりするのを防止することができる。
【００１２】
本発明に係る電柱穴掘削装置で、前記掘削用オーガは、前記サヤ管の先端側の内面に相対する前記掘削刃の外縁の複数箇所に、前記掘削刃の外縁よりも外側に突出した突起を有する振止部材を有していてもよい。この場合、振止部材により、電柱穴への挿入時や掘削時に、サヤ管の先端側でサヤ管が横方向に大きく振れるのを防ぐことができる。これにより、サヤ管の先端側でサヤ管が掘削用オーガの掘削刃に当たって破損したり、サヤ管を電柱穴に挿入しにくくなったりするのを防止することができる。
【発明の効果】
【００１３】
本発明によれば、電柱穴の掘削後から電柱を立てるまでの間、掘削穴への土の侵入を防ぐことができる電柱穴掘削装置および電柱穴掘削方法を提供することができる。
【図面の簡単な説明】
【００１４】
【図１】本発明の実施の形態の電柱穴掘削装置を示す、サヤ管の内部を透視した正面図である。
【図２】図１に示す電柱穴掘削装置の、固定部および押え部材の拡大側面図である。
【発明を実施するための形態】
【００１５】
以下、図面に基づき、本発明の実施の形態について説明する。
図１および図２は、本発明の実施の形態の電柱穴掘削装置および電柱穴掘削方法（電柱穴掘削用管挿入工具および管挿入工法）を示している。
図１および図２に示すように、電柱穴掘削装置１０は、地面に電柱を立てるための電柱穴を掘削するための電柱穴掘削装置１０であって、掘削用オーガ１１とサヤ管１２と固定部１３と押え部材１４と吊下手段１５とを有している。
【００１６】
図１に示すように、掘削用オーガ１１は、既存のアースオーガから成り、回転軸２１の周囲に螺旋状に設けられた掘削刃２２と、回転軸２１を後端側に延長した伸縮取付部２３とを有している。伸縮取付部２３は、長さ方向に沿って複数の調整穴２４を有し、調整穴２４で掘削刃２２の取付位置を調整することにより、掘削刃２２の位置を先端側や後端側に移動可能になっている。また、掘削用オーガ１１は、掘削刃２２の先端側に、掘削刃２２の外縁よりも外側に突出した突起２５ａを有する複数の振止部材２５を有している。なお、図１に示す具体的な一例では、掘削刃２２の直径は３５０ｍｍである。
【００１７】
サヤ管１２は、硬質の紙製で、円筒状に形成されている。サヤ管１２は、電柱の地面に埋め込む部分および掘削刃２２が挿入可能な内径を有している。サヤ管１２は、先端部材１２ａから掘削用オーガ１１の先端１１ａが突出するよう、内部に掘削用オーガ１１が挿入されている。サヤ管１２は、掘削した電柱穴に容易に挿入できるよう、先端部材１２ａが尖っている。また、サヤ管１２は、上端部の対向する位置に、厚みを貫通して設けられた１対の挿入穴１２ｂを有している。
【００１８】
図１および図２に示すように、固定部１３は、掘削用オーガ１１の掘削刃２２より後端側に固定されている。固定部１３は、伸縮取付部２３の調整穴２４を利用して掘削用オーガ１１に固定されている。固定部１３は、先端側に、回転軸２１の回転方向に沿って回転する複数のローラ２６を有している。
【００１９】
押え部材１４は、鋼製で円板状であり、サヤ管１２の後端の開口１２ｃを塞ぐよう配置されている。押え部材１４は、中心部に掘削用オーガ１１の回転軸２１を挿入可能に設けられた貫通孔２７と、外縁から貫通孔２７まで伸びる切込（図示せず）とを有している。押え部材１４は、切込を拡げて貫通孔２７に回転軸２１を挿入し、サヤ管１２の後端の開口１２ｃを塞ぐよう設けられている。また、押え部材１４は、先端側の表面に、サヤ管１２の後端の開口１２ｃを塞いだとき、サヤ管１２の内周に沿ってサヤ管１２の内部に向かって突出するよう設けられた複数の突出部２８を有している。
【００２０】
図１および図２に示すように、電柱穴掘削装置１０は、押え部材１４でサヤ管１２の後端の開口１２ｃを塞いだとき、固定部１３の各ローラ２６が押え部材１４の後端側の表面に接するよう配置される。また、このとき、掘削用オーガ１１の各振止部材２５の突起２５ａが、サヤ管１２の先端側の内面に相対するようになっている。電柱穴掘削装置１０は、掘削用オーガ１１の回転により、各ローラ２６が押え部材１４の後端側の表面を回転して移動するとともに、押え部材１４を押すよう構成されている。また、サヤ管１２が、後端側の押え部材１４を介して掘削用オーガ１１に押され、掘削用オーガ１１とともに先端側に向かって移動可能になっている。
【００２１】
図１に示すように、吊下手段１５は、回転軸２１から左右に伸びるよう、固定部１３の上部に取り付けられた１対の係合部２９と、各係合部２９に引っ掛けて吊り下げられた１対のベルト部材３０と、各ベルト部材３０の先端に設けられたフック３１とを有している。吊下手段１５は、フック３１をサヤ管１２の各挿入穴１２ｂに引っ掛けることにより、サヤ管１２および押え部材１４を吊り下げ可能になっている。
【００２２】
本発明の実施の形態の電柱穴掘削方法は、電柱穴掘削装置１０を使用して好適に実施される。本発明の実施の形態の電柱穴掘削方法では、まず、掘削用オーガ１１の掘削刃２２の位置を、調整穴２４を利用して先端側に移動させる。伸縮取付部２３の調整穴２４を利用して、固定部１３を掘削用オーガ１１に取り付ける。切込を開いて貫通孔２７に回転軸２１を挿入し、固定部１３の先端側に押え部材１４を取り付ける。先端部材１２ａを下にしてサヤ管１２を直立させ、サヤ管１２の後端の開口１２ｃから掘削用オーガ１１を挿入する。サヤ管１２を押え部材１４に当たるまで持ち上げ、吊下手段１５でサヤ管１２および押え部材１４を吊り下げる。これにより、サヤ管１２の先端から掘削用オーガ１１の先端が突出した状態になる。
【００２３】
サヤ管１２の内部に掘削用オーガ１１を挿入してサヤ管１２を吊り下げた状態で、電柱穴の掘削位置まで移動し、吊下手段１５を取り外した後、電柱穴の掘削を行う。これにより、掘削用オーガ１１で固定部１３および押え部材１４を介してサヤ管１２の後端側を押しつつ、電柱穴の掘削と、その電柱穴へのサヤ管１２の挿入とを行うことができる。
【００２４】
本発明の実施の形態の電柱穴掘削装置１０および電柱穴掘削方法は、掘削用オーガ１１による電柱穴の掘削と、その電柱穴へのサヤ管１２の挿入とを同時に行うことができるため、崩れた土がサヤ管１２の内部へ侵入することなく電柱穴を掘削することができる。また、掘削後、電柱穴にサヤ管１２を挿入したまま、サヤ管１２の内部に電柱を挿入して立てることができる。このように、本発明の実施の形態の電柱穴掘削装置１０および電柱穴掘削方法は、電柱穴の掘削後から電柱を立てるまでの間、サヤ管１２により周りの崩れた土を遮断することができ、電柱穴の掘り直しを不要にすることができる。
【００２５】
本発明の実施の形態の電柱穴掘削装置１０および電柱穴掘削方法では、掘削時に掘削用オーガ１１が回転したとき、各ローラ２６が押え部材１４の後端側の表面を回転するため、押え部材１４およびサヤ管１２が回転しない。このため、サヤ管１２が安価な紙製であっても、サヤ管１２が破損するのを防止することができ、経済的である。
【００２６】
本発明の実施の形態の電柱穴掘削装置１０および電柱穴掘削方法は、押え部材１４の複数の突出部２８により、電柱穴への挿入時や掘削時に、サヤ管１２が横方向に大きくずれるのを防ぐことができる。また、掘削用オーガ１１の振止部材２５により、電柱穴への挿入時や掘削時に、サヤ管１２の先端側でサヤ管１２が横方向に大きく振れるのを防ぐことができる。これにより、サヤ管１２が掘削用オーガ１１の掘削刃２２に当たって破損したり、サヤ管１２を電柱穴に挿入しにくくなったりするのを防止することができる。
【００２７】
本発明の実施の形態の電柱穴掘削装置１０および電柱穴掘削方法は、押え部材１４の切込を拡げて貫通孔２７に掘削用オーガ１１の回転軸２１を出し入れすることができるため、押え部材１４を着脱しやすい。また、本発明の実施の形態の電柱穴掘削装置１０および電柱穴掘削方法は、崩れた既存の電柱穴を再度掘削し新しい電柱を立てる場合だけでなく、軟弱地盤に対して新たに電柱穴を掘削する場合にも使用することができる。
【００２８】
なお、本発明の実施の形態の電柱穴掘削装置１０および電柱穴掘削方法は、吊下手段１５を有していなくてもよい。この場合、電柱穴を掘削する位置にサヤ管１２を立てた状態で、掘削用オーガ１１をサヤ管１２に挿入することにより、所望の掘削位置で電柱穴の掘削を行うことができる。
【符号の説明】
【００２９】
１０  電柱穴掘削装置
１１  掘削用オーガ
２１  回転軸
２２  掘削刃
２３  伸縮取付部
２４  調整穴
２５  振止部材
２５ａ  突起
１２  サヤ管
１２ａ  先端部材
１２ｂ  挿入穴
１３  固定部
２６  ローラ
１４  押え部材
２７  貫通孔
２８  突出部
１５  吊下手段
２９  係合部
３０  ベルト部材
３１  フック
【要約】
【課題】電柱穴の掘削後から電柱を立てるまでの間、掘削穴への土の侵入を防ぐことができる電柱穴掘削用管挿入工具および管挿入工法を提供する。
【解決手段】掘削用オーガ１１が、回転軸２１の周囲に螺旋状に設けられた掘削刃２２を有している。サヤ管１２が、紙製で、円柱状を成し、電柱の地面に埋め込む部分を挿入可能な内径を有している。サヤ管１２は、掘削時に、先端１２ａから掘削用オーガ１１の先端１１ａが突出するよう、内部に掘削用オーガ１１が挿入される。固定部１３が、掘削用オーガ１１の後端部に固定されている。押え部材１４が、サヤ管１２の後端縁に沿って配置されている。掘削時に固定部１３で押え部材１４を押すことにより、サヤ管１２の後端側が掘削用オーガ１１に押されて、サヤ管１２が掘削用オーガ１１とともに先端側に向かって移動可能に構成されている。
【選択図】図１【図１】
0005574351.tif 000002
【図２】
0005574351.tif 000003